(57)【特許請求の範囲】
【請求項１】
電源と負荷とに電気的に接続する第１の組の１つ以上の経路と、
第２の組の１つ以上の経路と、
前記第１の組の経路に前記第２の組の経路を並列接続もしくは接続解除する接続手段と、
前記第１の組の経路の前記負荷の接続に伴って変化する所定のパラメータに基づいて、前記接続手段に並列接続もしくは接続解除の指示をする制御手段と、を備え、
前記第１の組の経路は、
第１の電源と負荷とに接続する第１の経路と、第２の電源と負荷とに接続する第２の経路と、を有し、
前記第２の組の経路は、
第３の経路を有し、
前記接続手段は、
前記第１の電源と前記第３の経路とを接続もしくは接続解除する第１のスイッチと、
前記第３の経路と前記第１の経路が接続する前記負荷とを接続もしくは接続解除する第２
のスイッチと、
前記第２の電源と前記第３の経路とを接続もしくは接続解除する第３のスイッチと、
前記第３の経路と前記第２の経路が接続する前記負荷とを接続もしくは接続解除する第４のスイッチと、を有し、
前記第３の経路を前記第１の経路もしくは前記第２の経路に並列接続し、
前記第３の経路を前記第１の経路に並列接続する場合、前記第１のスイッチと前記第２のスイッチとを接続とし、前記第３のスイッチと前記第４のスイッチとを接続解除とする
給電回路。
【請求項２】
前記パラメータを検出する検出手段を有し、
前記制御手段は、前記検出手段から前記パラメータを取得する、請求項１記載の給電回路。
【請求項３】
前記制御手段は、前記パラメータの大きい経路から順次、前記第２の組の経路の所定の数を並列接続する前記指示をする、請求項１または２記載の給電回路。
【請求項４】
前記制御手段は、前記パラメータの閾値を有し、前記パラメータと前記閾値との比較に基づいて前記第２の組の経路の所定の数を並列接続する前記指示をする、請求項１または２記載の給電回路。
【請求項５】
前記第２の組の経路は異なる電流容量を有し、
前記制御手段は、前記電流容量に基づいて前記第２の組の経路の所定の数を並列接続する前記指示をする、請求項１から４の内の１項記載の給電回路。
【請求項６】
前記パラメータは電流値を有する、請求項１から５の内の１項記載の給電回路。
【発明の詳細な説明】
【技術分野】
【０００１】
本発明は、接続された負荷に対して電力を供給する給電回路技術に関する。
【背景技術】
【０００２】
コンピュータやその周辺機器などの電子機器やシステムは、ＣＰＵ（Ｃｅｎｔｒａｌ  Ｐｒｏｃｅｓｓｉｎｇ  Ｕｎｉｔ）、メモリ、ＨＤＤ（Ｈａｒｄ  Ｄｉｓｋ  Ｄｒｉｖｅ）、カメラ、各種センサ、モータ、印字ヘッド、ＵＳＢ（Ｕｎｉｖｅｒｓａｌ  Ｓｅｒｉａｌ  Ｂｕｓ）を介して接続される各種機器などの、様々な電子部品や付属機器を備えている。各々の電子部品や付属の機器は、各々に必要な電力が供給されて動作する。そのため、電力供給に障害が生じると機器やシステムの動作に支障を来たすこととなる。
【０００３】
電子部品や付属機器などの負荷への電力供給の安定化と効率化のために、特許文献１には、複数の電源を備えた電子機器の給電回路が開示されている。特許文献１によれば、各電源は、負荷変動の大きい負荷に対しては蓄電素子を伴う充放電回路を介して電力を供給する経路と、通常の負荷に対しては直接に電力を供給する経路とを有し、負荷の特性に応じて経路の切り替えを行う。また、電源の容量と負荷の特性とに基づいて、負荷に電力供給する電源を選択する。
【先行技術文献】
【特許文献】
【０００４】
【特許文献１】特開２０１０−２５９２７９号公報
【発明の概要】
【発明が解決しようとする課題】
【０００５】
しかしながら、特許文献１に開示された給電回路は、以下の課題を有している。すなわち、負荷の消費電力の変動などにより、給電経路に電流容量を超えるなどの大きな電流が流れた場合、給電経路自体の損傷を防止する対策はなされていない。
【０００６】
本発明は、上記の課題に鑑みてなされたものであり、その目的は、給電経路に大きな電流が流れたときにも給電経路の損傷を抑制することのできる給電回路を提供することにある。
【課題を解決するための手段】
【０００７】
本発明の給電回路は、電源と負荷とに電気的に接続する第１の組の１つ以上の経路と、第２の組の１つ以上の経路と、前記第１の組の経路に前記第２の組の経路を並列接続もしくは接続解除する接続手段と、前記第１の組の経路の前記負荷の接続に伴って変化する所定のパラメータに基づいて、前記接続手段に並列接続もしくは接続解除の指示をする制御手段と、を有する。
【０００８】
本発明の給電方法は、電源と負荷とに接続する第１の組の１つ以上の経路の、前記負荷の接続に伴って変化する所定のパラメータを取得し、前記パラメータに基づいて、第２の組の１つ以上の経路を前記第１の組の経路に並列接続もしくは接続解除する。
【０００９】
本発明の給電プログラムは、電源と負荷とに接続する第１の組の１つ以上の経路の、前記負荷の接続に伴って変化する所定のパラメータを取得する処理と、前記パラメータに基づいて、第２の組の１つ以上の経路を前記第１の組の経路に並列接続もしくは接続解除する処理と、を回路に実行させる。
【発明の効果】
【００１０】
本発明によれば、給電経路に大きな電流が流れたときにも給電経路の損傷を抑制することのできる給電回路を提供することができる。
【図面の簡単な説明】
【００１１】
【図１】本発明の第１の実施形態の給電回路の構造を示すブロック図である。
【図２】本発明の第２の実施形態の給電回路の構造を示すブロック図である。
【図３】本発明の第３の実施形態の給電回路の構造を示すブロック図である。
【図４】本発明の第３の実施形態の給電回路の動作を示すフローチャートである。
【図５】本発明の第３の実施形態の給電回路の動作を示すフローチャートである。
【図６】本発明の第３の実施形態の給電回路の動作を示すフローチャートである。
【発明を実施するための形態】
【００１２】
以下、図を参照しながら、本発明の実施形態を詳細に説明する。但し、以下に述べる実施形態には、本発明を実施するために技術的に好ましい限定がされているが、発明の範囲を以下に限定するものではない。
（第１の実施形態）
図１は、本発明の第１の実施形態の給電回路の構造を示すブロック図である。本実施形態の給電回路１０は、電源と負荷とに電気的に接続する第１の組の１つ以上の経路１０１と、第２の組の１つ以上の経路１０２と、第１の組の経路１０１に第２の組の経路１０２を並列接続もしくは接続解除する接続手段１０３とを有する。さらに、第１の組の経路１０１の前記負荷の接続に伴って変化する所定のパラメータに基づいて、接続手段１０３に並列接続もしくは接続解除の指示をする制御手段１０４を有する。
【００１３】
本実施形態によれば、給電経路に大きな電流が流れたときにも給電経路の損傷を抑制することのできる給電回路を提供することができる。
（第２の実施形態）
図２は、本発明の第２の実施形態の給電回路の構造を示すブロック図である。本実施形態の給電回路１は、第１の組の経路として、第１の電源と負荷とに接続する第１の経路１１と、第２の電源と負荷とに接続する第２の経路１２と、を有する。第２の組の経路として、第３の経路１３を有する。さらに、第３の経路１３を、第１の経路１１もしくは第２の経路１２に並列接続もしくは接続解除する、接続手段１４を有する。
【００１４】
さらに、第１の経路１１の前記負荷の接続に伴って変化する所定のパラメータを検出する第１の検出手段１５と、第２の経路１２の前記負荷の接続に伴って変化する所定のパラメータを検出する第２の検出手段１６とを有する。さらに、第１の経路１１のパラメータと第２の経路１２のパラメータに基づいて、接続手段１４に並列接続もしくは接続解除を指示する制御手段１７を有する。
【００１５】
本実施形態によれば、給電経路に大きな電流が流れたときにも給電経路の損傷を抑制することのできる給電回路を提供することができる。
（第３の実施形態）
図３は、本発明の第３の実施形態の給電回路の構造を示すブロック図である。本実施形態の給電回路２は、第１の組の給電経路として、第１の給電経路２１と、第２の給電経路２２とを有する。第２の組の給電経路として、第３の給電経路２３を有する。さらに、給電回路２は、第１のスイッチ２４ａと、第２のスイッチ２４ｂと、第３のスイッチ２４ｃと、第４のスイッチ２４ｄとを有する。さらに、給電回路２は、第１の電流計２５と、第２の電流計２６と制御回路２７とを有する。
【００１６】
第１の給電経路２１は、第１の電源と負荷とに接続する。第２の給電経路２２は、第２の電源と負荷とに接続する。第３の給電経路２３は、第１の給電経路２１もしくは第２の給電経路２２に並列接続する。
【００１７】
第１の電源と第２の電源とは、電源容量などが同じ仕様を有していても、また、一方が他方よりも大きい電源容量を有するなどの異なる仕様を有していてもよい。
【００１８】
第１の給電経路２１の接続する負荷と第２の給電経路２２の接続する負荷は、それぞれが別々の負荷であっても、同一の負荷であって複数の電力供給を受ける負荷であってもよい。また、第１の給電経路２１の接続する負荷と第２の給電経路２２の接続する負荷は、各々、１つであってもよく、複数であっても良い。負荷としては、例えば、コンピュータやその周辺機器などの電子機器やシステムの場合、ＣＰＵ、メモリ、ＨＤＤ、カメラ、各種センサ、モータ、印字ヘッド、ＵＳＢを介して接続される各種機器などの、電子部品や付属機器とすることができる。
【００１９】
第１のスイッチ２４ａは、第３の給電経路２３の第１の電源の側にあって、第１の電源と第３の給電経路２３とを接続または接続解除する。第２のスイッチ２４ｂは、第３の給電経路２３の第１の給電経路２１が接続する負荷の側にあって、第３の給電経路２３と第１の給電経路２１が接続する負荷とを接続または接続解除する。
【００２０】
第３のスイッチ２４ｃは、第３の給電経路２３の第２の電源の側にあって、第２の電源と第３の給電経路２３とを接続または接続解除する。第４のスイッチ２４ｄは、第３の給電経路２３の第２の給電経路２２が接続する負荷の側にあって、第３の給電経路２３と第２の給電経路２２が接続する負荷とを接続または接続解除する。
【００２１】
第１のスイッチ２４ａと第２のスイッチ２４ｂと第３のスイッチ２４ｃと第４のスイッチ２４ｄとは、第３の給電経路２３を第１の給電経路２１もしくは第２の給電経路２２に並列接続する。第３の給電経路２３を第１の給電経路２１に並列接続する場合、第１のスイッチ２４ａと第２のスイッチ２４ｂとを接続とし、第３のスイッチ２４ｃと第４のスイッチ２４ｄとを接続解除とする。第３の給電経路２３を第２の給電経路２２に並列接続する場合、第１のスイッチ２４ａと第２のスイッチ２４ｂとを接続解除とし、第３のスイッチ２４ｃと第４のスイッチ２４ｄとを接続とする。
【００２２】
第１のスイッチ２４ａと第２のスイッチ２４ｂと第３のスイッチ２４ｃと第４のスイッチ２４ｄとは、リレースイッチや電界効果トランジスタなどとすることができる。
【００２３】
第１の電流計２５は、第１の電源が負荷に電力を供給しているときに、第１の給電経路２１の所定のパラメータである第１の給電経路２１に流れる電流値を検出する検出手段である。第２の電流計２６は、第２の電源が負荷に電力を供給しているときに、第２の給電経路２２の所定のパラメータである第２の給電経路２２に流れる電流値を検出する検出手段である。
【００２４】
制御回路２７は、第１の電流計２５の電流値と第２の電流計２６の電流値とを取得する。制御回路２７はこれらの電流値に基づいて、第１のスイッチ２４ａと第２のスイッチ２４ｂと第３のスイッチ２４ｃと第４のスイッチ２４ｄとに、第３の給電経路２３を第１の給電経路２１もしくは第２の給電経路２２に並列接続する指示をする。
【００２５】
制御回路２７は、例えば、第１の電流計２５の電流値が第２の電流計２６の電流値よりも大きい場合、第３の給電経路２３を第１の給電経路２１に並列接続するよう指示する。また、制御回路２７は、例えば、第２の電流計２６の電流値が第１の電流計２５の電流値よりも大きい場合、第３の給電経路２３を第２の給電経路２２に並列接続するよう指示する。
【００２６】
制御回路２７は、ＣＰＵなどの演算回路とメモリを用い、演算回路をプログラムで動作させることで実現できる。制御回路２７は、ＣＰＵやメモリを有するパソコンやサーバなどの情報機器とすることもできる。
【００２７】
図４は、本実施形態の給電回路２の動作を示すフローチャートである。図４のフローチャートは、第３の給電経路２３を第１の給電経路２１もしくは第２の給電経路２２と適切に並列接続する動作を示す。
【００２８】
図４のフローチャートは、第１の給電経路２１と第２の給電経路２２とに、各々負荷が接続され、第１の電源と第２の電源とが、各々負荷に給電を始めたことで開始とする。このとき、第１のスイッチ２４ａと第２のスイッチ２４ｂと第３のスイッチ２４ｃと第４のスイッチ２４ｄとは接続解除とし、これにより第３の給電経路２３は接続解除されているとする。
【００２９】
ステップＳ０１で、制御回路２７は、第１の電流計２５から第１の給電経路２１に流れる電流値を検出し、第２の電流計２６から第２の給電経路２２に流れる電流値を検出する。
【００３０】
ステップＳ０２で、制御回路２７は、第１の電流計２５の電流値と第２の電流計２６の電流値とを比較する。第１の電流計２５の電流値が第２の電流計２６の電流値よりも大きい場合（Ｓ０２のＹＥＳ）、ステップＳ０３に移行する。第１の電流計２５の電流値が第２の電流計２６の電流値よりも大きくない場合（Ｓ０２のＮＯ）、ステップＳ０４に移行する。
【００３１】
ステップＳ０３で、制御回路２７は、第１のスイッチ２４ａと第２のスイッチ２４ｂとを接続とし、第３のスイッチ２４ｃと第４のスイッチ２４ｄとを接続解除とする指示をする。第１のスイッチ２４ａと第２のスイッチ２４ｂと第３のスイッチ２４ｃと第４のスイッチ２４ｄとは、制御回路２７の指示を受けて、第１のスイッチ２４ａと第２のスイッチ２４ｂとは接続とし、第３のスイッチ２４ｃと第４のスイッチ２４ｄとは接続解除とする。これにより、第３の給電経路２３は第１の給電経路２１に並列接続し、終了する。
【００３２】
ステップＳ０４で、制御回路２７は、第１のスイッチ２４ａと第２のスイッチ２４ｂとを接続解除とし、第３のスイッチ２４ｃと第４のスイッチ２４ｄとを接続とする指示をする。第１のスイッチ２４ａと第２のスイッチ２４ｂと第３のスイッチ２４ｃと第４のスイッチ２４ｄとは、制御回路２７の指示を受けて、第１のスイッチ２４ａと第２のスイッチ２４ｂとは接続解除とし、第３のスイッチ２４ｃと第４のスイッチ２４ｄとは接続とする。これにより、第３の給電経路２３は第２の給電経路２２に並列接続し、終了する。
【００３３】
図５は、給電回路２の動作を示すフローチャートである。図５のフローチャートは、図４のフローチャートの終了後、負荷の着脱や、待機状態から動作状態への移行などの負荷の状態の変化により、各給電経路に流れる電流量が変化することに対応するための動作を行う。図５のフローチャートは、図４のフローチャートの終了後に開始とする。
【００３４】
ステップＳ１１で、制御回路２７は、第１の電流計２５から第１の給電経路２１に流れる電流値を取得し、第２の電流計２６から第２の給電経路２２に流れる電流値を取得する。
【００３５】
ステップＳ１２で、制御回路２７は、第１の電流計２５の電流値と第２の電流計２６の電流値の少なくとも１つが変化したか否かを判定する。変化は増加の場合と減少の場合とを有する。制御回路２７は、第１の電流計２５の電流値と第２の電流計２６の電流値とを時系列的に保存し比較することによって、電流値の変化を検出することができる。制御回路２７は、増加の場合と減少の場合とで予め閾値を各々設けておき、閾値を超える変化があった場合に変化したと判定しても良い。
【００３６】
電流値の少なくとも１つが変化した場合（Ｓ１２のＹＥＳ）、ステップＳ１３に移行する。第１の電流計２５の電流値と第２の電流計２６の電流値のいずれにも変化がない場合（Ｓ１２のＮＯ）、ステップＳ１１を繰り返す。なお、ステップＳ１１を繰り返す場合、ステップＳ１１を連続的に繰り返しても、一定期間経過後に繰り返しても良い。
【００３７】
ステップＳ１３で、制御回路２７は、第３の給電経路２３が並列接続していない方の給電経路の電流値が、増えたか否かを判定する。増えた場合（Ｓ１３のＹＥＳ）、ステップＳ１５に移行する。否の場合、（Ｓ１３のＮＯ）、ステップＳ１４に移行する。
【００３８】
ステップＳ１４で、制御回路２７は、第３の給電経路２３が並列接続している方の給電経路の電流値が、減ったか否かを判定する。減った場合（Ｓ１４のＹＥＳ）、ステップＳ１５に移行する。否の場合、（Ｓ１４のＮＯ）、ステップＳ１１を繰り返す。
【００３９】
ステップＳ１５で、制御回路２７は、第１のスイッチ２４ａと第２のスイッチ２４ｂと第３のスイッチ２４ｃと第４のスイッチ２４ｄとに接続解除とするよう指示する。第１のスイッチ２４ａと第２のスイッチ２４ｂと第３のスイッチ２４ｃと第４のスイッチ２４ｄとは、この指示を受けて接続解除とする。これにより、第３の給電経路２３は接続解除となり、終了する。
【００４０】
以上の動作により、第１の電源が第１の給電経路２１を介して負荷に給電し、第２の電源が第２の給電経路２２を介して負荷に給電する状態となる。すなわち、図４のフローチャートの開始の状態となる。給電回路２は、図４のフローチャートのステップＳ０１以降を実行し、改めて、第３の給電経路２３を第１の給電経路２１もしくは第２の給電経路２２と適切に並列接続する。
【００４１】
図６は、給電回路２の動作を示すフローチャートである。図６のフローチャートは、第３の給電経路２３を第１の給電経路２１もしくは第２の給電経路２２に並列接続する動作において、第１の給電経路２１が電流値の上限値（第１の閾値）を、第２の給電経路２２が電流値の上限値（第２の閾値）を、各々設けている場合の動作を示す。図６のフローチャートは、図５のフローチャートの終了後に実行してもよい。
【００４２】
図６のフローチャートは、第１の給電経路２１と第２の給電経路２２とに、各々負荷が接続され、第１の電源と第２の電源とが、各々負荷に給電を始めたことで開始とする。このとき、第１のスイッチ２４ａと第２のスイッチ２４ｂと第３のスイッチ２４ｃと第４のスイッチ２４ｄとは接続解除とし、これにより第３の給電経路２３は接続解除されているとする。
【００４３】
ステップＳ２１で、制御回路２７は、第１の電流計２５から第１の給電経路２１に流れる電流値を取得し、第２の電流計２６から第２の給電経路２２に流れる電流値を取得する。
【００４４】
ステップＳ２２で、制御回路２７は、第１の電流計２５の電流値が第１の給電経路２１の上限値（第１の閾値）を超えているか否かを判定する。超えている場合（Ｓ２２のＹＥＳ）、ステップＳ２３に移行する。否の場合（Ｓ２２のＮＯ）、ステップＳ２４に移行する。
【００４５】
ステップＳ２３で、制御回路２７は、第２の電流計２６の電流値が第２の給電経路２２の上限値（第２の閾値）を超えているか否かを判定する。超えている場合（Ｓ２３のＹＥＳ）、ステップＳ２５に移行する。なお、この場合、第１の電流計２５の電流値と第２の電流計２６の電流値は共に上限値を超えているため、ステップＳ２３のＹＥＳ判定の後に、制御回路２７はアラームを発生させても良い。否の場合（Ｓ２３のＮＯ）、ステップＳ２６に移行する。
【００４６】
ステップＳ２４で、制御回路２７は、第２の電流計２６の電流値が第２の給電経路２２の上限値を超えているか否かを判定する。超えている場合（Ｓ２４のＹＥＳ）、ステップＳ２７に移行する。否の場合（Ｓ２４のＮＯ）、ステップＳ２５に移行する。
【００４７】
ステップＳ２５で、制御回路２７は、第１の電流計２５の電流値が第２の電流計２６の電流値よりも大きいか否かを判定する。大きい場合（Ｓ２５のＹＥＳ）、ステップＳ２６に移行する。否の場合（Ｓ２５のＮＯ）、ステップＳ２７に移行する。
【００４８】
ステップＳ２６で、制御回路２７は、第１のスイッチ２４ａと第２のスイッチ２４ｂとを接続とし、第３のスイッチ２４ｃと第４のスイッチ２４ｄとを接続解除とする指示をする。第１のスイッチ２４ａと第２のスイッチ２４ｂと第３のスイッチ２４ｃと第４のスイッチ２４ｄとは、制御回路２７の指示を受けて、第１のスイッチ２４ａと第２のスイッチ２４ｂとは接続とし、第３のスイッチ２４ｃと第４のスイッチ２４ｄとは接続解除とする。これにより、第３の給電経路２３は第１の給電経路２１に並列接続し、終了する。
【００４９】
ステップＳ２７で、制御回路２７は、第１のスイッチ２４ａと第２のスイッチ２４ｂとを接続解除とし、第３のスイッチ２４ｃと第４のスイッチ２４ｄとを接続とする指示をする。第１のスイッチ２４ａと第２のスイッチ２４ｂと第３のスイッチ２４ｃと第４のスイッチ２４ｄとは、制御回路２７の指示を受けて、第１のスイッチ２４ａと第２のスイッチ２４ｂとは接続解除とし、第３のスイッチ２４ｃと第４のスイッチ２４ｄとは接続とする。これにより、第３の給電経路２３は第２の給電経路２２に並列接続し、終了する。
【００５０】
以上のように、本実施形態によれば、第３の給電経路２３は負荷の大きい方の給電経路と並列接続するため、大電流による損傷など、負荷の大きい給電経路で生じやすい損傷の発生を抑制することができる。また、負荷の大きい給電経路の電流容量を大きくすることができるため、負荷の大きい給電経路の負荷端で生じやすい電圧降下などの障害を抑制することができる。さらに、第３の給電経路２３を第１の給電経路２１と第２の給電経路２２とで共有しているので、給電経路の増加を抑制することができる。
【００５１】
なお、本実施形態では、第１の組に属する給電経路を第１と第２の給電経路２１、２２の２つとし、第２の組に属する給電経路を第３の給電経路２３の１つとして説明したが、これには限定されない。第１の組の給電経路と第２の組の給電経路とは、各々、１つ以上の数とすることができる。
【００５２】
なお、本実施形態では、第１の組の給電経路に第２の組の給電経路を１つ接続する場合で説明したが、これには限定されない。第１の組の給電経路に、第２の組の給電経路を複数接続しても良い。また、第２の組の給電経路が異なる電流容量を有し、第１の組の給電経路の電流の大きさによって、第２の組の適切な電流容量を有する給電経路を選択して接続してもよい。例えば、第１の組の給電経路の電流が大きい順に、第２の組の給電経路の電流容量の大きい順に選択して接続してもよい。
【００５３】
なお、本実施形態では、電源が負荷に電力を供給しているときの給電経路の所定のパラメータとして、給電経路に流れる電流の値を挙げて説明したが、これには限定されない。パラメータとしては、例えば、給電経路の電圧降下の値や、給電経路の温度上昇の値とすることもできる。これらをパラメータとする場合は、これらを検出するための検出手段として、電圧計や温度計を適用することができる。
【００５４】
以上のように、本実施形態によれば、給電経路に大きな電流が流れたときにも給電経路の損傷を抑制することのできる給電回路を提供することができる。
【００５５】
本発明は上記実施形態に限定されることなく、特許請求の範囲に記載した発明の範囲内で種々の変形が可能であり、それらも本発明の範囲内に含まれるものである。
【００５６】
また、上記の実施形態の一部又は全部は、以下の付記のようにも記載され得るが、以下には限られない。
（付記１）
電源と負荷とに電気的に接続する第１の組の１つ以上の経路と、第２の組の１つ以上の経路と、前記第１の組の経路に前記第２の組の経路を並列接続もしくは接続解除する接続手段と、前記第１の組の経路の前記負荷の接続に伴って変化する所定のパラメータに基づいて、前記接続手段に並列接続もしくは接続解除の指示をする制御手段と、を有する給電回路。
（付記２）
前記パラメータを検出する検出手段を有し、前記制御手段は、前記検出手段から前記パラメータを取得する、付記１記載の給電回路。
（付記３）
前記制御手段は、前記パラメータの大きい経路から順次、前記第２の組の経路の所定の数を並列接続する前記指示をする、付記１または２記載の給電回路。
（付記４）
前記制御手段は、前記パラメータの閾値を有し、前記パラメータと前記閾値との比較に基づいて前記第２の組の経路の所定の数を並列接続する前記指示をする、付記１または２記載の給電回路。
（付記５）
前記第２の組の経路は異なる電流容量を有し、前記制御手段は、前記電流容量に基づいて前記第２の組の経路の所定の数を並列接続する前記指示をする、付記１から４の内の１項記載の給電回路。
（付記６）
前記パラメータは電流値を有する、付記１から５の内の１項記載の給電回路。
（付記７）
前記第１の組の経路は、第１の電源と負荷とに接続する第１の経路と、第２の電源と負荷とに接続する第２の経路と、を有し、前記第２の組の経路は、第３の経路を有し、前記接続手段は、前記第３の経路を前記第１の経路もしくは前記第２の経路に並列接続する、付記１から６の内の１項記載の給電回路。
（付記８）
前記制御手段は、前記第１の経路の前記パラメータが前記第１の経路の前記パラメータの第１の閾値を超えた場合、前記第２の経路の前記パラメータが前記第２の経路の前記パラメータの第２の閾値を超えていなければ、前記第３の経路を前記第１の経路に並列接続する指示をする、付記７記載の給電回路。
（付記９）
前記制御手段は、前記第２の経路の前記パラメータが前記第２の閾値を超えていれば、前記パラメータの大きい方の経路に前記第３の経路を並列接続する指示をする、付記８記載の給電回路。
（付記１０）
前記制御手段は、前記第２の経路の前記パラメータが前記第２の閾値を超えていれば、アラームを発する、付記８または９記載の給電回路。
（付記１１）
前記制御手段は、前記第１の経路と前記第２の経路の前記パラメータの少なくとも１つの変化を検出すると、前記第３の経路が並列接続している経路の前記パラメータが減った場合、もしくは、前記第３の経路が並列接続していない経路の前記パラメータが増えた場合、前記第３の経路を接続解除する指示をする、付記７から１０の内の１項記載の給電回路。
（付記１２）
前記接続手段は、前記第１の電源と前記第３の経路とを接続もしくは接続解除する第１のスイッチと、前記第３の経路と前記第１の経路が接続する前記負荷とを接続もしくは接続解除する第２のスイッチと、前記第２の電源と前記第３の経路とを接続もしくは接続解除する第３のスイッチと、前記第３の経路と前記第２の経路が接続する前記負荷とを接続もしくは接続解除する第４のスイッチと、を有し、前記第３の経路を前記第１の経路に並列接続する場合、前記第１のスイッチと前記第２のスイッチとを接続とし、前記第３のスイッチと前記第４のスイッチとを接続解除とする、付記７から１１の内の１項記載の給電回路。
（付記１３）
電源と負荷とに接続する第１の組の１つ以上の経路の、前記負荷の接続に伴って変化する所定のパラメータを取得し、前記パラメータに基づいて、第２の組の１つ以上の経路を前記第１の組の経路に並列接続もしくは接続解除する、給電方法。
（付記１４）
前記パラメータの大きい経路から順次、前記第２の組の経路の所定の数を並列接続する、付記１３記載の給電方法。
（付記１５）
前記パラメータと前記パラメータの閾値との比較に基づいて、前記第２の組の経路の所定の数を並列接続する、付記１３記載の給電方法。
（付記１６）
前記第２の組の経路は異なる電流容量を有し、前記電流容量に基づいて前記第２の組の経路の所定の数を並列接続する、付記１３から１５の内の１項記載の給電方法。
（付記１７）
前記パラメータは電流値を有する、付記１３から１６の内の１項記載の給電方法。
（付記１８）
前記第１の組の経路は、第１の電源と負荷とに接続する第１の経路と、第２の電源と負荷とに接続する第２の経路と、を有し、前記第２の組の経路は、第３の経路を有し、前記第１の経路の前記パラメータと前記第２の経路の前記パラメータに基づいて、前記第３の経路を前記第１の経路もしくは前記第２の経路に並列接続する、付記１３から１７の内の１項記載の給電方法。
（付記１９）
前記第１の経路の前記パラメータが前記第１の経路の前記パラメータの第１の閾値を超えた場合、前記第２の経路の前記パラメータが前記第２の経路の前記パラメータの第２の閾値を超えていなければ、前記第３の経路を前記第１の経路に並列接続する、付記１８記載の給電方法。
（付記２０）
前記第２の経路の前記パラメータが前記第２の閾値を超えていれば、前記パラメータの大きい方の経路に前記第３の経路を並列接続する、付記１９記載の給電方法。
（付記２１）
前記第２の経路の前記パラメータが前記第２の閾値を超えていれば、アラームを発する、付記１９または２０記載の給電方法。
（付記２２）
前記第１の経路と前記第２の経路の前記パラメータの少なくとも１つの変化を検出し、
前記第３の経路が並列接続している経路の前記パラメータが減った場合、もしくは、前記第３の経路が並列接続していない経路の前記パラメータが増えた場合、前記第３の経路を接続解除する、付記１８から２１の内の１項記載の給電方法。
（付記２３）
前記第３の経路を前記第１の経路に並列接続する場合、前記第１の電源と前記第３の経路とを接続もしくは接続解除する第１のスイッチと、前記第３の経路と前記第１の経路が接続する前記負荷とを接続もしくは接続解除する第２のスイッチとを接続とし、前記第２の電源と前記第３の経路とを接続もしくは接続解除する第３のスイッチと、前記第３の経路と前記第２の経路が接続する前記負荷とを接続もしくは接続解除する第４のスイッチとを接続解除とする、付記１８から２２の内の１項記載の給電方法。
（付記２４）
電源と負荷とに接続する第１の組の１つ以上の経路の、前記負荷の接続に伴って変化する所定のパラメータを取得する処理と、前記パラメータに基づいて、第２の組の１つ以上の経路を前記第１の組の経路に並列接続もしくは接続解除する処理と、を回路に実行させる給電プログラム。
（付記２５）
前記パラメータの大きい経路から順次、前記第２の組の経路の所定の数を並列接続する処理を実行させる、付記２４記載の給電プログラム。
（付記２６）
前記パラメータと前記パラメータの閾値との比較に基づいて、前記第２の組の経路の所定の数を並列接続する処理を実行させる、付記２４記載の給電プログラム。
（付記２７）
前記第２の組の経路は異なる電流容量を有し、前記電流容量に基づいて前記第２の組の経路の所定の数を並列接続する処理を実行させる、付記２４から２６の内の１項記載の給電プログラム。
（付記２８）
前記パラメータは電流値を有する、付記２４から２７の内の１項記載の給電プログラム。
（付記２９）
前記第１の組の経路は、第１の電源と負荷とに接続する第１の経路と、第２の電源と負荷とに接続する第２の経路と、を有し、前記第２の組の経路は、第３の経路を有し、前記第１の経路の前記パラメータと前記第２の経路の前記パラメータに基づいて、前記第３の経路を前記第１の経路もしくは前記第２の経路に並列接続する処理を実行させる、付記２４から２８の内の１項記載の給電プログラム。
（付記３０）
前記第１の経路の前記パラメータと前記第１の経路の前記パラメータの第１の閾値とを比較する処理と、前記第１の経路の前記パラメータが前記第１の閾値を超えた場合、前記第２の経路の前記パラメータと前記第２の経路の前記パラメータの第２の閾値とを比較する処理と、前記第２の経路の前記パラメータが前記第２の閾値を超えていなければ、前記第３の経路を前記第１の経路に並列接続する処理と、を実行させる、付記２９記載の給電プログラム。
（付記３１）
前記第２の経路の前記パラメータが前記第２の閾値を超えていれば、前記パラメータの大きい方の経路に前記第３の経路を並列接続する処理を実行させる、付記３０記載の給電プログラム。
（付記３２）
前記第２の経路の前記パラメータが前記第２の閾値を超えていれば、アラームを発する処理を実行させる、付記３０または３１記載の給電プログラム。
（付記３３）
前記第１の経路と前記第２の経路の前記パラメータの少なくとも１つの変化を検出する処理と、前記第３の経路が並列接続している経路の前記パラメータが減った場合、もしくは、前記第３の経路が並列接続していない経路の前記パラメータが増えた場合、前記第３の経路を接続解除する処理と、を実行させる付記２９から３２の内の１項記載の給電プログラム。
（付記３４）
前記第３の経路を前記第１の経路に並列接続する場合、前記第１の電源と前記第３の経路とを接続もしくは接続解除する第１のスイッチと、前記第３の経路と前記第１の経路が接続する前記負荷とを接続もしくは接続解除する第２のスイッチとを接続とする処理と、前記第２の電源と前記第３の経路とを接続もしくは接続解除する第３のスイッチと、前記第３の経路と前記第２の経路が接続する前記負荷とを接続もしくは接続解除する第４のスイッチとを接続解除とする処理と、を実行させる、付記２９から３３の内の１項記載の給電プログラム。
【符号の説明】
【００５７】
１、２、１０    給電回路
１０１、１０２    経路
１１    第１の経路
１２    第２の経路
１３    第３の経路
１４、１０３    接続手段
１５    第１の検出手段
１６    第２の検出手段
１７、１０４    制御手段
２１    第１の給電経路
２２    第２の給電経路
２３    第３の給電経路
２４ａ    第１のスイッチ
２４ｂ    第２のスイッチ
２４ｃ    第３のスイッチ
２４ｄ    第４のスイッチ
２５    第１の電流計
２６    第２の電流計
２７    制御回路
【図１】
0006605925.tif 000002
【図２】
0006605925.tif 000003
【図３】
0006605925.tif 000004
【図４】
0006605925.tif 000005
【図５】
0006605925.tif 000006
【図６】
0006605925.tif 000007